(57)【要約】【課題】携帯電話地上側アンテナを不動体に対して角度を持って固定することが容易にでき、高所でも安全な調整作業が可能な携帯電話地上側アンテナ角度調整器具を提供する。【解決手段】棒状の本体部１と、本体部１に交わるようにして設けられた測定部２と、アンテナ角度調整具Ｓにおける各固定軸部Ｂ１，Ｂ２の間隔や携帯電話地上側アンテナＡの地上面に対する角度を表示した表示部３を備え、測定部２は、基端部分が本体部１に固定された固定側測定部２ａとスライド可能とされた移動側測定部２ｂとからなり、各測定部２ａ，２ｂの先端部分には、上記各固定軸部Ｂ１，Ｂ２の上方に露出した部分に当接する溝部２１が形成されており、移動側測定部２ｂは、本体部１に対する位置を固定するためのストッパー部４を備えた携帯電話地上側アンテナ角度調整器具を提供する。【選択図】図５
2009027481.tif 000002
【特許請求の範囲】
【請求項１】
携帯電話地上側アンテナ（Ａ）を地上面に対し角度を持って、ポールや壁面などの不動体（Ｐ）に固定する際に共に用いられる携帯電話地上側アンテナ角度調整器具において、
上記携帯電話地上側アンテナ（Ａ）と上記不動体（Ｐ）との間には、アンテナ角度調整具（Ｓ）が設けられており、
上記アンテナ角度調整具（Ｓ）は、不動体側支持部（Ｓ１）とアンテナ側支持部（Ｓ２）とを備え、これらの各支持部（Ｓ１，Ｓ２）は、基端側が回動軸（Ｓ３）によって結合され、これにより、不動体側支持部（Ｓ１）とアンテナ側支持部（Ｓ２）とが上記回動軸（Ｓ３）を中心として相対的に回動可能とされており、
上記各支持部（Ｓ１，Ｓ２）の先端側には、上記携帯電話地上側アンテナ（Ａ）及び不動体（Ｐ）に連結される固定軸部（Ｂ１，Ｂ２）が設けられており、
上記不動体側支持部（Ｓ１）とアンテナ側支持部（Ｓ２）との間の開き角度に応じ、携帯電話地上側アンテナ（Ａ）を上記不動体（Ｐ）に対して角度を持って固定できるものであり、
上記固定軸部（Ｂ１，Ｂ２）は、少なくとも一部が上方に露出したものとされており、
この携帯電話地上側アンテナ角度調整器具が、上記固定軸部（Ｂ１，Ｂ２）の各々に当接させて用いられるものであって、
棒状の本体部（１）と、
上記本体部（１）に交わるようにして設けられた測定部（２）と、
上記各固定軸部（Ｂ１，Ｂ２）の間隔、あるいは、上記携帯電話地上側アンテナ（Ａ）の地上面に対する角度を表示した表示部（３）を備え、
上記測定部（２）は、基端部分が上記本体部（１）に固定された固定側測定部（２ａ）と、基端部分が上記本体部（１）の長手方向に沿うようにスライド可能とされた移動側測定部（２ｂ）とからなり、
上記各測定部（２ａ，２ｂ）の先端部分には、上記各固定軸部（Ｂ１，Ｂ２）の、上記のように上方に露出した部分に当接する溝部（２１）が形成されており、
上記移動側測定部（２ｂ）は、上記本体部（１）に対する位置を固定するためのストッパー部（４）を備えたことを特徴とする、携帯電話地上側アンテナ角度調整器具。
【請求項２】
上記表示部（３）が、上記本体部（１）の正面上及び背面上に記載された目盛（３１）を備えており、
上記目盛（３１）のうち、本体部（１）の正面側に記載されたものの表示方向に対し、同背面側に記載されたものの表示方向が上下逆とされたことを特徴とする、請求項１に記載の携帯電話地上側アンテナ角度調整器具。
【請求項３】
上記本体部（１）が断面四角形の中空体とされており、
上記測定部（２）の溝部（２１）が、当該測定部（２）の先端側端面に設けられ、当該測定部（２）の正面側から背面側へと貫通した、均一の深さを有する有底溝とされており、この溝の対向する内側面間の距離は上記各固定軸部（Ｂ１，Ｂ２）の直径と略一致したものとされ、この溝の底部の曲率は上記各固定軸部（Ｂ１，Ｂ２）の曲率と略一致したものとされており、
上記移動側測定部（２ｂ）の基端側には、上記本体部（１）の内部に位置するスライドガイド部（２２）を有しており、
上記ストッパー部（４）は、ねじ込みにより、本体部（１）の内面（１ａ）と上記スライドガイド部（２２）とを密着させて本体部（１）と上記スライドガイド部（２２）とを相対的に移動不能に固定するものであり、
上記表示部（３）は、多種のアンテナ角度調整具（Ｓ）に対応した目盛（３１）が一つの本体部（１）にまとめて記載されたことを特徴とする、請求項１または２に記載の携帯電話地上側アンテナ角度調整器具。
【請求項４】
請求項１〜３のいずれかに記載の携帯電話地上側アンテナ角度調整器具を用い、
上記移動側測定部（２ｂ）を、上記固定軸部（Ｂ１，Ｂ２）の所望の間隔に対応した数値を上記表示部（３）が示すように移動させて上記ストッパー部（４）により固定し、
本体部（１）が上側、各測定部（２ａ，２ｂ）が下側となるように持って、上記アンテナ角度調整具（Ｓ）の固定軸部（Ｂ１，Ｂ２）と各測定部（２ａ，２ｂ）の溝部（２１）とを上方から当接させるようにし、
固定側測定部（２ａ）の溝部（２１）と移動側測定部（２ｂ）の溝部（２１）とが共に上記固定軸部（Ｂ１，Ｂ２）の各々に当接するように、上記固定軸部（Ｂ１，Ｂ２）の間隔を調整して行うことを特徴とする、携帯電話地上側アンテナ角度の調整方法。
【発明の詳細な説明】
【技術分野】
【０００１】
本願発明は、携帯電話地上側アンテナの角度を調整する作業を容易に行うための器具に関するものである。
【背景技術】
【０００２】
【特許文献１】特開２００１−２９８３１１号公報
【特許文献２】実開平２−８６２０４号公報
【０００３】
例えばビルの屋上や電柱上に、図６に示すような携帯電話の地上局が設けられる。その携帯電話の地上局を構成する地上側アンテナは、携帯電話との間で確実に電波を送受信するために、地上面に対して適切な角度をもって建物やポールなどの不動体Ｐに固定する必要がある。具体的には地上側アンテナの送受信部分が斜め下の適切な向きを向くようにする。
【０００４】
この携帯電話地上側アンテナＡの形状は、図７に示すように上下方向に細長い箱状のものである。そして不動体Ｐは、通常の場合では上下方向に配位されている。図７では不動体Ｐが棒状体であるポールの場合を示しているが、壁面などの面状体の場合もあり得る。
【０００５】
この携帯電話地上側アンテナＡの下端部と不動体Ｐとの間にはヒンジ部材Ｈが挟まれるようにして設けられており、これにより、携帯電話地上側アンテナＡはこのヒンジ部Ｈを中心に、上端部を回動させることができる。
【０００６】
このように、不動体Ｐに対して上端部が回動可能とされた携帯電話地上側アンテナＡは、図７に示すようなアンテナ角度調整具Ｓが用いられて固定される。つまり、上記のヒンジ部材Ｈは不動体Ｐに対して携帯電話地上側アンテナＡを角度可変に支持するためのものであり、アンテナ角度調整具Ｓは不動体Ｐと携帯電話地上側アンテナＡの角度を固定するためのものである。
【０００７】
アンテナ角度調整具Ｓは、図７に示すように携帯電話地上側アンテナＡの上端部と、不動体Ｐとしてのポールとの間に挟まれるように設けられるものであって、不動体側支持部Ｓ１とアンテナ側支持部Ｓ２とを備えている。これら各支持部Ｓ１，Ｓ２は、基端側が回動軸Ｓ３によってＶ字状に結合され、これにより、不動体側支持部Ｓ１とアンテナ側支持部Ｓ２とが回動軸Ｓ３を中心として相対的に回動可能とされる。なお、不動体側支持部Ｓ１とアンテナ側支持部Ｓ２との間には止めボルトＳ４が設けられており、この止めボルトＳ４を締めることにより、所望の開き角度のまま各支持部Ｓ１，Ｓ２を固定することができる。そして、上記の各支持部Ｓ１，Ｓ２の先端側には、携帯電話地上側アンテナＡ及び不動体Ｐに連結される固定軸部Ｂ１，Ｂ２が設けられている。この固定軸部Ｂ１，Ｂ２は、ボルト、ナット、ワッシャ、そしてボルトの軸部の周囲を覆うパイプとからなっている（場合によってはパイプは省略される）。
【０００８】
上記の構成から、携帯電話地上側アンテナＡがヒンジ部材Ｈを中心として回動可能とされ、不動体側支持部Ｓ１とアンテナ側支持部Ｓ２との間の上記Ｖ字状の開き角度に応じ、携帯電話地上側アンテナＡを不動体Ｐに対して角度を持って固定することができる。
【発明の開示】
【発明が解決しようとする課題】
【０００９】
ここで、上記不動体側支持部Ｓ１とアンテナ側支持部Ｓ２との間の開き角度は、各支持部Ｓ１，Ｓ２の先端側に設けられた固定軸部Ｂ１，Ｂ２の間隔に比例するため、固定軸部Ｂ１，Ｂ２の間隔を作業者が測定することによりアンテナ角度の調整を行っていた。
【００１０】
ところが従来においては、この調整の際、巻尺や定規を固定軸部Ｂ１，Ｂ２の真横に当てて距離を測定し、この距離を角度に換算していた。この際、各固定軸部Ｂ１，Ｂ２の長さは同一ではないため、このように真横から巻尺などを当てようとしても、本来測定すべき、各固定軸部Ｂ１，Ｂ２の中心間を結ぶ経路に対し、斜めに傾いてしまうことが多く、正確な距離を測定しにくい。また、図７に示すように、不動体Ｐに取り付けられるクランプＣや携帯電話地上側アンテナＡに巻尺などが干渉して測定しにくい。これらのことから、精度の高い調整作業を行うことが難しかった。
【００１１】
また、この調整作業は、ビルの屋上や、電柱の上端などの高所に作業者が登って行う必要があり、危険を伴うものであった。
【００１２】
これらのことから、上記の固定軸部Ｂ１，Ｂ２の間隔を測定することを簡便かつ安全に行うことのできる角度調整器具の開発が現場から強く求められていた。
【００１３】
なお、このような角度調整器具はこれまで使われておらず、本願出願人は、この調整器具に関する先行技術の存在を出願時において認識していない。
【００１４】
ここで参考までに、衛星放送受信アンテナの取付角度を調整するための機構について紹介する。特許文献１の発明は、糸と錘により、鉛直方向に対する角度を直接測定する治具に関するものである。また、特許文献２の考案は、取付金具にアンテナ角度を表示する目盛が設けられたものである。
【００１５】
上記はいずれも、アンテナを固定するための手段が、本願のアンテナ角度調整具Ｓを用いるものとは異なることから、携帯電話地上側アンテナ角度調整器具の開発に当たり、これらの発明・考案をそのまま参考にできるものではなかった。
【００１６】
本願発明は上記問題に鑑み、固定軸部Ｂ１，Ｂ２の間隔を測定することにより、携帯電話地上側アンテナＡを不動体Ｐに対して角度を持って固定することが容易にでき、高所でも安全かつ正確な調整作業が可能な携帯電話地上側アンテナ角度調整器具及びこれを用いた携帯電話地上側アンテナ角度の調整方法を提供することを課題とする。
【課題を解決するための手段】
【００１７】
上記課題を解決するために、本願の請求項１に記載の発明は、携帯電話地上側アンテナＡを地上面に対し角度を持って、ポールや壁面などの不動体Ｐに固定する際に共に用いられる携帯電話地上側アンテナ角度調整器具において、上記携帯電話地上側アンテナＡと上記不動体Ｐとの間には、アンテナ角度調整具Ｓが設けられており、上記アンテナ角度調整具Ｓは、不動体側支持部Ｓ１とアンテナ側支持部Ｓ２とを備え、これらの各支持部Ｓ１，Ｓ２は、基端側が回動軸Ｓ３によって結合され、これにより、不動体側支持部Ｓ１とアンテナ側支持部Ｓ２とが上記回動軸Ｓ３を中心として相対的に回動可能とされており、上記各支持部Ｓ１，Ｓ２の先端側には、上記携帯電話地上側アンテナＡ及び不動体Ｐに連結される固定軸部Ｂ１，Ｂ２が設けられており、上記不動体側支持部Ｓ１とアンテナ側支持部Ｓ２との間の開き角度に応じ、携帯電話地上側アンテナＡを上記不動体Ｐに対して角度を持って固定できるものであり、上記固定軸部Ｂ１，Ｂ２は、少なくとも一部が上方に露出したものとされており、この携帯電話地上側アンテナ角度調整器具が、上記固定軸部Ｂ１，Ｂ２の各々に当接させて用いられるものであって、棒状の本体部１と、上記本体部１に交わるようにして設けられた測定部２と、上記各固定軸部Ｂ１，Ｂ２の間隔、あるいは、上記携帯電話地上側アンテナＡの地上面に対する角度を表示した表示部３を備え、上記測定部２は、基端部分が上記本体部１に固定された固定側測定部２ａと、基端部分が上記本体部１の長手方向に沿うようにスライド可能とされた移動側測定部２ｂとからなり、上記各測定部２ａ，２ｂの先端部分には、上記各固定軸部Ｂ１，Ｂ２の、上記のように上方に露出した部分に当接する溝部２１が形成されており、上記移動側測定部２ｂは、上記本体部１に対する位置を固定するためのストッパー部４を備えたことを特徴とする、携帯電話地上側アンテナ角度調整器具を提供する。
【００１８】
また、本願の請求項２に記載の発明は、上記表示部３が、上記本体部１の正面上及び背面上に記載された目盛３１を備えており、上記目盛３１のうち、本体部１の正面側に記載されたものの表示方向に対し、同背面側に記載されたものの表示方向が上下逆とされたことを特徴とする、請求項１に記載の携帯電話地上側アンテナ角度調整器具を提供する。
【００１９】
また、本願の請求項３に記載の発明は、上記本体部１が断面四角形の中空体とされており、上記測定部２の溝部２１が、当該測定部２の先端側端面に設けられ、当該測定部２の正面側から背面側へと貫通した、均一の深さを有する有底溝とされており、この溝の対向する内側面間の距離は上記各固定軸部Ｂ１，Ｂ２の直径と略一致したものとされ、この溝の底部の曲率は上記各固定軸部Ｂ１，Ｂ２の曲率と略一致したものとされており、上記移動側測定部２ｂの基端側には、上記本体部１の内部に位置するスライドガイド部２２を有しており、上記ストッパー部４は、ねじ込みにより、本体部１の内面１ａと上記スライドガイド部２２とを密着させて本体部１と上記スライドガイド部２２とを相対的に移動不能に固定するものであり、上記表示部３は、多種のアンテナ角度調整具Ｓに対応した目盛３１が一つの本体部１にまとめて記載されたことを特徴とする、請求項１または２に記載の携帯電話地上側アンテナ角度調整器具を提供する。
【００２０】
また、本願の請求項４に記載の発明は、請求項１〜３のいずれかに記載の携帯電話地上側アンテナ角度調整器具を用い、上記移動側測定部２ｂを、上記固定軸部Ｂ１，Ｂ２の所望の間隔に対応した数値を上記表示部３が示すように移動させて上記ストッパー部４により固定し、本体部１が上側、各測定部２ａ，２ｂが下側となるように持って、上記アンテナ角度調整具Ｓの固定軸部Ｂ１，Ｂ２と各測定部２ａ，２ｂの溝部２１とを上方から当接させるようにし、固定側測定部２ａの溝部２１と移動側測定部２ｂの溝部２１とが共に上記固定軸部Ｂ１，Ｂ２の各々に当接するように、上記固定軸部Ｂ１，Ｂ２の間隔を調整して行うことを特徴とする、携帯電話地上側アンテナ角度の調整方法を提供する。
【発明の効果】
【００２１】
本願の請求項１に係る発明は、上記測定部２が、基端部分が上記本体部１に固定された固定側測定部２ａと、基端部分が上記本体部１の長手方向に沿うようにスライド可能とされた移動側測定部２ｂとからなり、上記各測定部２ａ，２ｂの先端部分に、上記各固定軸部Ｂ１，Ｂ２の、上記のように上方に露出した部分に当接する溝部２１が形成されたことにより、固定軸部Ｂ１，Ｂ２の間隔を測定することにより、携帯電話地上側アンテナＡを不動体Ｐに対して角度を持って固定することが容易にでき、高所でも安全な調整作業が可能な携帯電話地上側アンテナ角度調整器具を提供することができたものである。
【００２２】
そして、上記移動側測定部２ｂが、上記本体部１に対する位置を固定するためのストッパー部４を備えたことにより、各測定部２ａ，２ｂの位置関係を確実に定めることができ、正確な作業を行うことができる。
【００２３】
本願の請求項２に係る発明は、上記請求項１に係る発明の効果に加え、上記表示部３が、上記本体部１の正面上及び背面上に記載された目盛３１を備えており、上記目盛３１のうち、本体部１の正面側に記載されたものの表示方向に対し、同背面側に記載されたものの表示方向が上下逆とされたことにより、作業者の利き手に応じて使いやすい携帯電話地上側アンテナ角度調整器具を提供することができたものである。
【００２４】
本願の請求項３に係る発明は、上記請求項１または２に係る発明の効果に加え、上記測定部２の溝部２１が、当該測定部２の先端側端面に設けられ、当該測定部２の正面側から背面側へと貫通した有底溝とされており、この溝の対向する内側面間の距離は上記各固定軸部Ｂ１，Ｂ２の直径と略一致したものとされ、この溝の底部の曲率は上記各固定軸部Ｂ１，Ｂ２の曲率と略一致したものとされたことから、例えば上記固定側測定部２ａの溝部２１をまず一方の固定軸部Ｂ１に嵌め、その後、この固定軸部Ｂ１の外周面と溝部２１の底部とを摺動させながら、固定軸部Ｂ１を中心に移動側測定部２ｂを回動させ、移動側測定部２ｂの溝部２１を他方の固定軸部Ｂ２に嵌めるということができ、高所であっても作業を容易にできる携帯電話地上側アンテナ角度調整器具を提供することができたものである。
【００２５】
そして、上記表示部３は、多種のアンテナ角度調整具Ｓに対応した目盛３１が一つの本体部１にまとめて記載されたことにより、多種のアンテナ角度調整具Ｓの調整作業を一つの器具で行うことができ、汎用性が高い携帯電話地上側アンテナ角度調整器具を提供することができたものである。
【００２６】
本願の請求項４に係る発明は、上記請求項１〜３に記載の携帯電話地上側アンテナ角度調整器具を用いて固定軸部Ｂ１，Ｂ２の間隔を測定することにより、携帯電話地上側アンテナＡを不動体Ｐに対して角度を持って固定することが容易にでき、高所でも安全な調整作業が可能な携帯電話地上側アンテナ角度の調整方法を提供することができたものである。
【発明を実施するための最良の形態】
【００２７】
以下、図面に基づき本願発明の実施の形態の一例をとりあげて説明する。図１〜図３は、本例の器具を示し、図４は本例の表示部を示し、図５は本例の器具の使用方法を示す。
【００２８】
本例の器具は、棒状の本体部１と、この本体部１に交わるようにして設けられた測定部２と、アンテナ角度調整具Ｓの各固定軸部Ｂ１，Ｂ２の間隔、あるいは、上記携帯電話地上側アンテナＡの地上面に対する角度を表示した表示部３を備えたものであり、図５に示すように、上記固定軸部Ｂ１，Ｂ２のうちで上方に露出した部分に測定部２を当接させることにより、携帯電話地上側アンテナＡの地上面に対する角度を測定できる。
【００２９】
本体部１は、本例では断面四角形の中空体とされている。図２及び図３に示すように、底面にはスライド用長孔１１が長手方向と平行に設けられている。
【００３０】
測定部２は、アンテナ角度調整具Ｓの固定軸部Ｂ１，Ｂ２の各々に当接させるための部分である。この測定部２は、基端部分が上記本体部１に固定された固定側測定部２ａと、基端部分が上記本体部１の長手方向に沿うようにスライド可能とされた移動側測定部２ｂの二つからなる。この測定部２は、本例では図３に示すように角パイプ状の中空材料が用いられているが中実材料であっても良く、種々の材料を用いることができる。
【００３１】
固定側測定部２ａは、本例では本体部１に直交するようにしてねじ止め（図示せず）により固定されている。この固定側測定部２ａの本体部１への固定は、本例のねじ止めに限らず、溶接、接着、連結金具による固定など、その他種々の手段を取り得るし、本体部１と固定側測定部２ａとが一体に形成されていても良い。また、本例のように本体部１と固定側測定部２ａとを必ずしも直交させる必要はなく、９０°以外の角度で交わるものであっても良い。
【００３２】
なお本例では、固定側測定部２ａの左側面にＵ字状の引掛金具２３が一体に取り付けられており、ここに落下防止用のケーブルを取り付けることができる。よって、この落下防止用のケーブルを携帯電話の地上局を構成する部材にあらかじめ結び付けて作業することにより、万が一、作業者がこの器具を取り落とした場合であっても、高所から落下させて傷害事故などを引き起こすこともなく、安全に作業することができる。
【００３３】
移動側測定部２ｂは上記固定側測定部２ａと平行に配位されたものであり、本例では上記固定側測定部２ａと同じく本体部１に直交している。この移動側測定部２ｂは、図３に示すように本体部１のスライド用長孔１１に配位されたスペーサー２５を貫通して、本体部１の内部に位置するスライドガイド部２２にねじ止め（図示せず）により固定されている。
【００３４】
スライドガイド部２２は、本体部１の内面１ａを摺動するものであり、これにより、移動側測定部２ｂが本体部１に直交した状態を保ったまま、本体部１に対してスライドさせることができる。
【００３５】
移動側測定部２ｂは、上記本体部１に対する位置を固定するためのストッパー部４を備えている。このストッパー部４はねじ込みにより、本体部１と上記スライドガイド部２２とを相対的に移動不能に固定するものであり、図３に示すようにつまみ４１とねじ軸４２とを備えている。つまみ４１は本体部１の外部に露出して設けられており、ねじ軸４２は上記スライド用長孔１１を貫通してスライドガイド部２２にねじ込まれた植込ボルトである。つまみ４１の内部には、上記のねじ軸４２に対応して上下方向に貫通したねじ孔４１ａが設けられている。なお、ねじ軸４２の図示下端部分には抜け止め部４２ａが別体あるいは一体に設けられており、ここにつまみ４１が引っ掛かることにより、つまみ４１が本体部１から脱落しないようにされている。そして、つまみ４１を回してねじ軸４２へとねじ込むことにより、スライドガイド部２２の下面２２ａを本体部１の内面１ａに密着させ、移動側測定部２ｂをその位置で本体部１に固定することができる。このようにストッパー部４を設けたことにより、各測定部２ａ，２ｂの位置関係を確実に定めることができ、正確な作業を行うことができる。
【００３６】
このストッパー部４は、本例のようなねじ込み構造に限定されるものではなく、例えばクランプなどの止め金具を備えた構造であっても良い。
【００３７】
上記各測定部２ａ，２ｂの先端部には、アンテナ角度調整具Ｓの各固定軸部Ｂ１，Ｂ２の、上記のように上方に露出した部分に当接させることのできる溝部２１が形成されている。この溝部２１は、測定部２の先端側端面（図１における下端面）に設けられ、当該測定部２の正面側から背面側へと貫通した、均一の深さを有する有底溝とされている。上記のように、本例では測定部２に角パイプ状の中空材料が用いられているため、当然ながら中空材料の空間部分には溝部２１は設けられていない。一方、測定部２に中実材料が用いられた場合においては正面側から背面側へと連続した溝となる。本例の溝部２１は、図１及び図３に示したようにＵ字形の溝であって、より詳しくは、この溝の対向する内側面間の距離が上記各固定軸部Ｂ１，Ｂ２の直径と略一致したものとされ、この溝の底部の曲率が上記各固定軸部Ｂ１，Ｂ２の曲率と略一致したものとされている。
【００３８】
このように溝部２１をＵ字形の溝とすることにより、例えば固定側測定部２ａの溝部２１をまず一方の固定軸部Ｂ１に嵌め、その後、この固定軸部Ｂ１の外周面と溝部２１の底部とを摺動させながら、固定軸部Ｂ１を中心に移動側測定部２ｂを回動させ、移動側測定部２ｂの溝部２１を他方の固定軸部Ｂ２に嵌めることができる。このように一方の固定軸部Ｂ１に嵌めてから他方の固定軸部Ｂ２に嵌めるということが容易にできるため、高所であっても作業を容易にできる。
【００３９】
移動側測定部２ｂの基端部分には、本体部１における表示部３である目盛３１を指すための指示マーク２４が設けられている。本例の指示マーク２４は、移動側測定部２ｂとは別に形成された板状体に記載されており、その板状体が移動側測定部２ｂの表面に接着やねじにより取り付けられている。この他、移動側測定部２ｂの外面に刻印、印刷、塗装、シール貼付など種々の手段を用いて指示マーク２４を設けることができる。
【００４０】
なお、図１に示すように、本体部１が上側、測定部２が下側となるように配置した場合に固定側測定部２ａは図示左側に位置し、移動側測定部２ｂは同右側に位置する。そのため、作業者が右利きの場合、左手で固定側測定部２ａを持ち、右手で移動側測定部２ｂをスライドさせることができるため作業性良好である。なお、言うまでもないが、左利きの作業者が使いやすいように、固定側測定部２ａと移動側測定部２ｂの位置関係を左右逆にしても良く、作業者の利き手に応じて最も作業性の良い各測定部２ａ，２ｂの配置を取ることができる。
【００４１】
表示部３は、本例では本体部１の正面上及び背面上に記載された目盛３１を備えている。この目盛３１は、長さあるいは角度を表示する数字と共に記載されており（図４参照）、この目盛３１と上記移動側測定部２ｂの指示マーク２４との位置関係から、各固定軸部Ｂ１，Ｂ２の間隔、あるいは、上記携帯電話地上側アンテナＡの地上面に対する角度を作業者が読み取ることができる。
【００４２】
上記の目盛３１は、本例では上記指示マーク２４と同様、本体部１とは別に形成された板状体に記載されており、その板状体が本体部１の外面に接着やねじにより取り付けられている。その他、本体部１の外面に刻印、印刷、塗装、シール貼付など種々の手段を用いて目盛３１を設けることができる。また、表示部３にダイヤルなどのアナログ表示部、あるいはデジタル表示部を別途設け、そこに各測定部２ａ，２ｂの間隔に応じた角度や寸法の数値を表示するものであっても良い。
【００４３】
本例の表示部３には、図４（Ａ）に示すようにアンテナ角度調整具Ｓの種類表示３２が上記の目盛３１と共に記載されており、図示のように各々のアンテナ角度調整具Ｓの種類に対応するアンテナ角度が本体部１の正面上あるいは背面上にまとめて記載されている。このように、多種のアンテナ角度調整具Ｓに対応した目盛３１が一つの本体部１に記載されたことにより、本願発明に係る携帯電話地上側アンテナ角度調整器具が一つあれば、多種のアンテナ角度調整具Ｓの調整作業を行うことができる。
【００４４】
また、本例の場合、本体部１の正面側の表示部３が角度表示（図４（Ａ）参照）、同背面側の表示部３が長さ表示（図４（Ｂ）参照）とされている。背面側の表示部３は、新たな種類のアンテナ角度調整具Ｓに適用する場合など、正面側の表示部３で直接角度の読み取りができない場合に使用するものであり、これにより汎用性を高めている。
【００４５】
なお、表示部３の目盛３１のうち、本体部１の正面側に記載されたもの（図４（Ａ）参照）の表示方向に対し、同背面側に記載されたもの（図４（Ｂ）参照）の表示方向が上下逆とされている。これは上記と同様、本例の器具が右利きの作業者が使いやすいようにされていることによるためであり、移動側測定部２ｂが向かって各図示の右側に位置するようにした場合、本体部１の正面側を手前にした場合でも（図４（Ａ）参照）、同背面側を手前にした場合でも（図４（Ｂ）参照）、目盛３１の角度・長さ表示が上下順方向を向くようになっている。なお、左利きの作業者用の器具にあっては、表示部３の記載が上記右利きの作業者用の器具とは逆になり、このように、作業者の利き手に応じて最も作業性の良い位置関係で表示部３を設けることができる。
【００４６】
上記の器具を用いた携帯電話地上側アンテナ角度Ａの調整方法について、発明者の想定している標準的な方法を説明する。まず、移動側測定部２ｂを、地上側アンテナＡの地上面に対する所望の角度、あるいは固定軸部Ｂ１，Ｂ２の所望の間隔に対応した数値を上記表示部３が示すように移動させてストッパー部４により固定する。そして、本体部１が上側、各測定部２ａ，２ｂが下側となるように持って、図５に示すように、アンテナ角度調整具Ｓの固定軸部Ｂ１，Ｂ２と各測定部２ａ，２ｂの溝部２１とを上方から当接させるようにする。この際、固定側測定部２ａの溝部２１と移動側測定部２ｂの溝部２１とが共に上記各固定軸部Ｂ１，Ｂ２の軸部にうまく当接すれば（嵌まれば）、固定軸部Ｂ１，Ｂ２間が上記所望の間隔となっている。うまくいかない場合は、固定軸部Ｂ１，Ｂ２の間隔を広げたり狭めたりして再度調整する。
【００４７】
なお、上記の調整作業に先立ち、地上側アンテナＡが地上面に対して垂直となる位置を角度０°の基準と設定するために、移動側測定部２ｂを、地上側アンテナＡの地上面に対する角度０°に対応した目盛（図４参照）を上記表示部３が示すように移動させて固定し、上記と同要領で予備調整を行っておく。
【００４８】
なお、上記に説明した手順とは逆に、移動側測定部２ｂを固定しない状態で上記各固定軸部Ｂ１，Ｂ２の軸部に嵌め、その状態でストッパー部４により移動側測定部２ｂを固定するか、あるいは固定しないそのままの状態で表示部３の目盛３１から、地上側アンテナＡの地上面に対する角度、あるいは固定軸部Ｂ１，Ｂ２の間隔を読み取り、それに応じて調整作業を行っても良い。
【図面の簡単な説明】
【００４９】
【図１】本例の携帯電話地上側アンテナ角度調整器具を示す正面図である。
【図２】本例の携帯電話地上側アンテナ角度調整器具を示す底面図である。
【図３】本例の携帯電話地上側アンテナ角度調整器具を示す縦断面図である。
【図４】本例の携帯電話地上側アンテナ角度調整器具の目盛の記載例を示し、（Ａ）は正面図、（Ｂ）は背面図（上下逆に図示）である。
【図５】本例の携帯電話地上側アンテナ角度調整器具の使用状態を示す正面図である。
【図６】携帯電話の地上局の一例を示す側面視の参考図である。
【図７】携帯電話地上側アンテナ及びアンテナ角度調整具を示す斜視参考図である。
【符号の説明】
【００５０】
１      本体部
２      測定部
２ａ    固定側測定部
２ｂ    移動側測定部
２１    溝部
３      表示部
４      ストッパー部
Ａ      携帯電話地上側アンテナ
Ｂ１    固定軸部（不動体側支持部）
Ｂ２    固定軸部（アンテナ側支持部）
Ｐ      不動体
Ｓ      アンテナ角度調整具
Ｓ１    不動体側支持部
Ｓ２    アンテナ側支持部
Ｓ３    回動軸
【図１】
2009027481.tif 000003
【図２】
2009027481.tif 000004
【図３】
2009027481.tif 000005
【図４】
2009027481.tif 000006
【図５】
2009027481.tif 000007
【図６】
2009027481.tif 000008
【図７】
2009027481.tif 000009